【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
原子力発電システムの圧力容器内の放射性微粒子を含んだ水を排出し、上記圧力容器に循環させる第１ポンプと、
上記第１ポンプから上記放射性微粒子を含んだ水が供給される凝集装置と、
上記凝集装置に、上記放射性微粒子を凝集する凝集剤を供給する凝集剤供給装置と、
上記凝集装置に対して中性子及びガンマ線の内の少なくとも一方を測定する放射線監視装置と、
を備えることを特徴とする液中の微粒子除去システム。
【請求項２】
請求項１に記載の液中の微粒子除去システムにおいて、
上記凝集装置は、液中の微粒子のうち、大の寸法の微粒子を捕捉し、小の寸法の微粒子を通過させる金網が設置された凝集水分離装置であり、上記放射線監視装置は、上記凝集水分離装置に対して中性子を測定する中性子測定装置及びガンマ線を測定するガンマ線測定装置であり、
上記凝集水分離装置内の水を上記圧力容器に戻すための第１配管に配置された第１切替弁と、
上記凝集水分離装置内の水を上記圧力容器に戻すための第２配管に配置された第２ポンプ及び 第２切替弁と、
上記第１ポンプ、上記第２ポンプ、上記第１切替弁及び上記第２切替弁の動作を制御するポンプ制御装置と、
をさらに備えることを特徴とする液中の微粒子除去システム。
【請求項３】
請求項１に記載の液中の微粒子除去システムにおいて、
上記凝集装置は、液中の微粒子を凝集する凝集槽であり、上記放射線監視装置は、上記凝集槽に対してガンマ線を測定するガンマ線測定装置であり、
上記第１ポンプと上記凝集槽との間に配置され、上記第１ポンプから上記放射性微粒子を含んだ水が供給され、放射性部位粒子を分離し、上記凝集槽に供給するサイクロンと、
上記サイクロンの上方に配置されるサイクロン上層部中性子測定装置と、
上記凝集槽内の水を上記圧力容器に戻すための第１配管に配置された第１切替弁と、
上記凝集槽内の水を上記圧力容器に戻すための第２配管に配置された第２ポンプ及び 第２切替弁と、
上記第１ポンプ、上記第２ポンプ、上記第１切替弁及び上記第２切替弁の動作を制御するポンプ制御装置と、
をさらに備えることを特徴とする液中の微粒子除去システム。
【請求項４】
請求項１に記載の液中の微粒子除去システムにおいて、
上記凝集装置は、液中の微粒子のうち、大の寸法の微粒子を捕捉し、小の寸法の微粒子を通過させる金網が設置された凝集水分離装置であり、上記放射線監視装置は、上記凝集水分離装置に対して中性子を測定する中性子測定装置及びガンマ線を測定するガンマ線測定装置であり、
上記第１ポンプと上記凝集水分離装置との間に配置され、上記第１ポンプから上記放射性微粒子を含んだ水が供給され、放射性部位粒子を分離し、上記凝集水分離装置に供給するサイクロンと、
上記サイクロンの上方に配置されるサイクロン上層部中性子測定装置と、
上記凝集水分離装置内の水を上記圧力容器に戻すための第１配管に配置された第１切替弁と、
上記凝集水分離装置内の水を上記圧力容器に戻すための第２配管に配置された第２ポンプ及び第２切替弁と、
上記第１ポンプ、上記第２ポンプ、上記第１切替弁及び上記第２切替弁の動作を制御するポンプ制御装置と、
をさらに備えることを特徴とする液中の微粒子除去システム。
【請求項５】
請求項１に記載の液中の微粒子除去システムにおいて、
上記凝集装置は、液中の微粒子を凝集する凝集槽であり、上記放射線監視装置は、上記凝集槽に対してガンマ線を測定するガンマ線測定装置であり、
上記凝集槽から上記放射性微粒子を含む水が供給され、上記放射性微粒子を水から分類する金網を有する水分離装置と、
上記水分離装置に対して中性子を測定する水分離装置用中性子測定装置と、
上記水分離装置に対してガンマ線を測定する水分離装置用ガンマ線子測定装置と、
上記凝集槽から上記水分離装置に上記放射性微粒子を含む水を供給する配管に配置される第３切替弁と、
上記凝集槽から上記圧力容器に水を供給する配管に配置される第４切替弁と、
上記第１ポンプ、上記第３切替弁及び上記第４切替弁の動作を制御するポンプ制御装置と、
をさらに備えることを特徴とする液中の微粒子除去システム。
【請求項６】
請求項３に記載の液中の微粒子除去システムにおいて、
上記サイクロンから排出される気相部中の微粒子を除去する水洗浄塔と、
上記水洗浄塔からガスが供給される逆洗浄フィルタと、
上記逆洗浄フィルタに逆洗ガスを供給する逆洗ガス供給装置と、
上記逆洗浄フィルタに上記逆洗ガスが供給されることにより、上記逆洗浄フィルタから除去された上記放射性微粒子を蓄積するアッシュタンクと、
上記水洗浄塔の中性子を測定する水洗浄塔用中性子測定装置と、
上記アッシュタンクの中性子を測定するアッシュタンク用中性子測定装置と、
上記サイクロンから上記水洗浄塔に上記放射性微粒子を含む水を供給する配管に配置される第５切替弁と、
上記サイクロンから上記圧力容器に水を供給する配管に配置される第６切替弁と、を備え、
上記ポンプ制御装置は、上記第１ポンプ、上記第２ポンプ、上記第１切替弁、上記第２切替弁、上記第５切替弁及び上記第６切替弁の動作を制御することを特徴とする液中の微粒子除去システム。
【請求項７】
請求項３に記載の液中の微粒子除去システムにおいて、
上記サイクロンから排出される気相部中の微粒子を除去する第２サイクロンと、
上記第２サイクロンにより除去された上記放射性微粒子を蓄積する第２アッシュタンクと、
上記第２サイクロンからガスが供給される逆洗浄フィルタと、
上記逆洗浄フィルタに逆洗ガスを供給する逆洗ガス供給装置と、
上記逆洗浄フィルタに上記逆洗ガスが供給されることにより、上記逆洗浄フィルタから除去された上記放射性微粒子を蓄積する第１アッシュタンクと、
上記第２サイクロンの中性子を測定する第２サイクロン用中性子測定装置と、
上記第１アッシュタンクの中性子を測定する第１アッシュタンク用中性子測定装置と、
上記第２アッシュタンクの中性子を測定する第２アッシュタンク用中性子測定装置と、
上記サイクロンから上記第２サイクロンに上記放射性微粒子を含む水を供給する配管に配置される第５切替弁と、
上記サイクロンから上記圧力容器に水を供給する配管に配置される第６切替弁と、を備え、
上記ポンプ制御装置は、上記第１ポンプ、上記第２ポンプ、上記第１切替弁、上記第２切替弁、上記第５切替弁及び上記第６切替弁の動作を制御することを特徴とする液中の微粒子除去システム。
【請求項８】
原子力発電システムの圧力容器内の放射性微粒子を含んだ水を、ポンプを用いて排出し、上記放射性微粒子を凝集する凝集剤を有する凝集装置に供給し、
上記凝集装置に対して中性子及びガンマ線の内の少なくとも一方を放射線監視装置により測定し、
上記放射線監視装置による測定値が許容値に近い値になったら、上記ポンプの動作を停止し、上記凝集装置を取り外して移動することを特徴とする液中の微粒子除去方法。
【請求項９】
請求項８に記載の液中の微粒子除去方法において、
上記凝集装置は、液中の微粒子のうち、大の寸法の微粒子を捕捉し、小の寸法の微粒子を通過させる金網が設置された凝集水分離装置であり、上記放射線監視装置は、上記凝集水分離装置に対して中性子を測定する中性子測定装置及びガンマ線を測定するガンマ線測定装置であり、
上記凝集水分離装置内の水を上記圧力容器に戻すための第１配管に配置された第１切替弁と、上記凝集水分離装置内の水を上記圧力容器に戻すための第２配管に配置された第２ポンプ及び 第２切替弁と、上記圧力容器内の上記放射性微粒子を含んだ水を排出し上記圧力容器に循環させる第１ポンプ、上記第２ポンプ、上記第１切替弁及び上記第２切替弁の動作を制御するポンプ制御装置と、を備え、
上記中性子測定装置が測定した測定値及び上記ガンマ線測定装置が測定した測定値の何れもが所定レベルを超えていないときは、上記第１切替弁を開、上記第２切替弁を閉、上記第２ポンプを停止、上記第１ポンプを駆動し、
上記中性子測定装置が測定した測定値及び上記ガンマ線測定装置が測定した測定値の何れか一方が所定レベルを超えたときは、上記第１切替弁を閉、上記第２切替弁を開、上記第２ポンプを駆動し、上記第１ポンプを停止することを特徴とする液中の微粒子除去方法。
【請求項１０】
請求項８に記載の液中の微粒子除去方法において、
上記凝集装置は、液中の微粒子を凝集する凝集槽であり、上記放射線監視装置は、上記凝集槽に対してガンマ線を測定するガンマ線測定装置であり、
上記圧力容器内の上記放射性微粒子を含んだ水を排出し上記圧力容器に循環させる第１ポンプと上記凝集槽との間に配置され、上記第１ポンプから上記放射性微粒子を含んだ水が供給され、放射性部位粒子を分離し、上記凝集槽に供給するサイクロンと、上記サイクロンの上方に配置されるサイクロン上層部中性子測定装置と、上記凝集槽内の水を上記圧力容器に戻すための第１配管に配置された第１切替弁と、上記凝集槽内の水を上記圧力容器に戻すための第２配管に配置された第２ポンプ及び 第２切替弁と、上記第１ポンプ、上記第２ポンプ、上記第１切替弁及び上記第２切替弁の動作を制御するポンプ制御装置と、を備え、
上記サイクロン上層部中性子測定装置が測定した測定値及び上記ガンマ線測定装置が測定した測定値の何れもが所定レベルを超えていないときは、上記第１切替弁を開、上記第２切替弁を閉、上記第２ポンプを停止、上記第１ポンプを駆動し、
上記サイクロン上層部中性子測定装置が測定した測定値及び上記ガンマ線測定装置が測定した測定値の何れか一方が所定レベルを超えたときは、上記第１切替弁を閉、上記第２切替弁を開、上記第２ポンプを駆動し、上記第１ポンプを停止することを特徴とする液中の微粒子除去方法。
【請求項１１】
請求項８に記載の液中の微粒子除去方法において、
上記凝集装置は、液中の微粒子のうち、大の寸法の微粒子を捕捉し、小の寸法の微粒子を通過させる金網が設置された凝集水分離装置であり、上記放射線監視装置は、上記凝集水分離装置に対して中性子を測定する中性子測定装置及びガンマ線を測定するガンマ線測定装置であり、
上記圧力容器内の上記放射性微粒子を含んだ水を排出し上記圧力容器に循環させる第１ポンプと上記凝集水分離装置との間に配置され、上記第１ポンプから上記放射性微粒子を含んだ水が供給され、放射性部位粒子を分離し、上記凝集水分離装置に供給するサイクロンと、
上記サイクロンの上方に配置されるサイクロン上層部中性子測定装置と、
上記凝集水分離装置内の水を上記圧力容器に戻すための第１配管に配置された第１切替弁と、
上記凝集水分離装置内の水を上記圧力容器に戻すための第２配管に配置された第２ポンプ及び 第２切替弁と、
上記第１ポンプ、上記第２ポンプ、上記第１切替弁及び上記第２切替弁の動作を制御するポンプ制御装置と、を備え、
上記中性子測定装置が測定した測定値、上記サイクロン上層部中性子測定装置が測定した測定値及び上記ガンマ線測定装置が測定した測定値の何れもが所定レベルを超えていないときは、上記第１切替弁を開、上記第２切替弁を閉、上記第２ポンプを停止、上記第１ポンプを駆動し、
上記中性子測定装置が測定した測定値、上記サイクロン上層部中性子測定装置が測定した測定値及び上記ガンマ線測定装置が測定した測定値の何れか一つが所定レベルを超えたときは、上記第１切替弁を閉、上記第２切替弁を開、上記第２ポンプを駆動し、上記第１ポンプを停止することを特徴とする液中の微粒子除去方法。
【請求項１２】
請求項８に記載の液中の微粒子除去方法において、
上記凝集装置は、液中の微粒子を凝集する凝集槽であり、上記放射線監視装置は、上記凝集槽に対してガンマ線を測定するガンマ線測定装置であり、
上記凝集槽から上記放射性微粒子を含む水が供給され、上記放射性微粒子を水から分類する金網を有する水分離装置と、
上記水分離装置に対して中性子を測定する水分離装置用中性子測定装置と、
上記水分離装置に対してガンマ線を測定する水分離装置用ガンマ線測定装置と、
上記凝集槽から上記水分離装置に上記放射性微粒子を含む水を供給する配管に配置される第３切替弁と、
上記凝集槽から上記圧力容器に水を供給する配管に配置される第４切替弁と、
上記圧力容器内の上記放射性微粒子を含んだ水を排出し上記圧力容器に循環させる第１ポンプ、上記第３切替弁及び上記第４切替弁の動作を制御するポンプ制御装置と、を備え、
上記水分離装置用中性子測定装置で中性子を確認できる場合、または上記水分離装置用ガンマ線測定装置でガンマ線を確認できる場合は、上記第４切替弁を閉じ、上記第３切替弁を開とし、上記水分離装置用中性子測定装置で中性子を確認できない場合、かつ、上記水分離装置用ガンマ線測定装置でガンマ線を確認できない場合は、上記第４切替弁を開とし、上記第３切替弁を閉とすることを特徴とする液中の微粒子除去方法。
【請求項１３】
請求項１０に記載の液中の微粒子除去方法において、
上記サイクロンから排出される気相部中の微粒子を除去する水洗浄塔と、
上記水洗浄塔からガスが供給される逆洗浄フィルタと、
上記逆洗浄フィルタに逆洗ガスを供給する逆洗ガス供給装置と、
上記逆洗浄フィルタに上記逆洗ガスが供給されることにより、上記逆洗浄フィルタから除去された放射性微粒子を蓄積するアッシュタンクと、
上記サイクロンから上記水洗浄塔に上記放射性微粒子を含む水を供給する配管に配置される第５切替弁と、
上記サイクロンから上記圧力容器に水を供給する配管に配置される第６切替弁と、を備え、
上記ポンプ制御装置は、上記サイクロン上層部中性子測定装置が測定した測定値が、許容値未満であれば上記第６切替弁を開、上記第５切替弁を閉とし、上記サイクロン上層部中性子測定装置が測定した測定値が、上記許容値以上であれば、上記第６切替弁を閉、上記第５切替弁を開とすることを特徴とする液中の微粒子除去方法。
【請求項１４】
請求項１０に記載の液中の微粒子除去方法において、
上記サイクロンから排出される気相部中の微粒子を除去する第２サイクロンと、
上記第２サイクロンにより除去された放射性微粒子を蓄積する第２アッシュタンクと、
上記第２サイクロンからガスが供給される逆洗浄フィルタと、
上記逆洗浄フィルタに逆洗ガスを供給する逆洗ガス供給装置と、
上記逆洗浄フィルタに上記逆洗ガスが供給されることにより、上記逆洗浄フィルタから除去された上記放射性微粒子を蓄積する第１アッシュタンクと、
上記サイクロンから上記第２サイクロンに上記放射性微粒子を含む水を供給する配管に配置される第５切替弁と、
上記サイクロンから上記圧力容器に水を供給する配管に配置される第６切替弁と、を備え、
上記ポンプ制御装置は、上記サイクロン上層部中性子測定装置が測定した測定値が、許容値未満であれば上記第６切替弁を開、上記第５切替弁を閉とし、上記サイクロン上層部中性子測定装置が測定した測定値が、許容値以上であれば、上記第６切替弁を閉、上記第５切替弁を開とすることを特徴とする液中の微粒子除去方法。